(57)【特許請求の範囲】
【請求項１】
内視鏡を保持する内視鏡保持台であり、
前記内視鏡は操作部をなすケースを備え、
前記ケースには、人の手により握られる断面及び長さで握り部が延在形成され、
前記握り部の延在方向の一端から可撓管が突出され、
前記握り部の延在方向の他端に基部が設けられ、
前記基部は断面がほぼ矩形を呈し、基部の正面に内視鏡先端の視野の方向変更用の操作ダイヤルが設けられると共に、基部の一方の側面に可撓管への水や空気の供給の切換える操作ボタンが突出され、更に、基部の他方の側面の外方に向けて延在するようにライトガイドケーブルの連結部が基部に連結され、
前記基部の一方の側面は前記握り部よりも膨出し、この他方の側面と握り部との間に段部が形成され、
前記内視鏡保持台は、床から所定の高さでほぼ水平に支持された保持板を有し、
前記保持板には、前記基部寄りの握り部部分の正面あるいは背面の幅よりも僅かに大きく、前記段部寄りの基部部分の正面あるいは背面よりも小さい寸法の幅で、かつ、前記基部の側面の幅よりも大きい寸法の長さで係止溝が保持板の外縁に開放状に形成され、
前記係止溝の幅方向の一方の保持板上には、前記係止溝に上方から握り部を下方に向けた状態でケースを下ろし、段部が係止溝の縁に位置する保持板に当接した状態で、同時に、ライトガイドケーブルの連結部が当接するライトガイド用載置面が形成され、
更に、段部が係止溝の縁に位置する保持板に当接し、ライトガイドケーブルの連結部がライトガイド用載置面に当接した状態で、ライトガイドケーブルの連結部が係止溝の開放端側に臨む箇所に位置し連結部に当接することでケースが係止溝の開放端側へ移動することを阻止する第１の突起が設けられ、
前記保持板に該保持板とは別体の平板状のスペーサ部材が着脱可能に取り付けられ、
前記ライトガイド用載置面はこのスペーサ部材の上面で構成されている、
ことを特徴とする内視鏡保持台。
【請求項２】
前記段部が係止溝の縁に位置する保持板に当接し、ライトガイドケーブルの連結部がライトガイド用載置面に当接し、ライトガイドケーブルの連結部が第１の突起に近接して臨んだ状態で、ライトガイドケーブルの連結部が係止溝の奥部側に臨む箇所に近接して臨み、連結部に当接することでケースが係止溝の奥部側へ移動することを阻止する第２の突起が設けられている請求項１記載の内視鏡保持台。
【請求項３】
前記第１の突起と第２の突起は前記スペーサ部材の上面に配置されている請求項２記載の内視鏡保持台。
【請求項４】
前記段部が係止溝の縁に位置する保持板に当接し、ライトガイドケーブルの連結部がライトガイド用載置面に当接し、ライトガイドケーブルの連結部が第１の突起に近接して臨んだ状態で、前記ケースが係止溝の奥部に臨む部分は係止溝の奥部に近接している請求項１乃至３に何れか１項記載の内視鏡保持台。
【請求項５】
前記第１の突起のライトガイド用載置面からの高さは、ライトガイドケーブルの連結部の直径にほぼ等しい請求項１乃至４に何れか１項記載の内視鏡保持台。
【発明の詳細な説明】
【０００１】
【発明の属する技術分野】
本発明は内視鏡を保持する内視鏡保持台に関する。
【０００２】
【従来の技術】
内視鏡は操作部をなすケースを備え、ケースには、人の手により握られる断面及び長さで握り部が延在形成され、握り部の延在方向の一端から可撓管が突出され、握り部の延在方向の他端に基部が設けられ、基部には内視鏡先端の視野の方向変更用の操作ダイヤルや、可撓管への水や空気の供給の切換える操作ボタンが設けられ、また、ライトガイドケーブルの連結部が連結されている。
このような内視鏡を保持する内視鏡保持台として、例えば、特開昭６２−２５３０２４号公報が知られている。
特開昭６２−２５３０２４号公報では、支柱の上部に薄板状のハンガ本体を取り付け、このハンガ本体に、主挿通孔と、この主挿通孔に連通する副挿通孔とを切開部を介してハンガ本体の外縁に開放状に形成したものである。
このような内視鏡保持台では、内視鏡の係止保持は、ケースをハンガ本体よりも上方に持ち上げ、可撓管を切開部を通して主挿通孔に位置させ、次にケースを主挿通孔に挿入しながら下ろし、ケースの基部寄りの断面が大きくなったケース部分を主挿通孔に係止させることで行われる。
【０００３】
【発明が解決しようとする課題】
このような内視鏡保持台によれば、ハンガ本体でケース部分を係止保持するので内視鏡を安定して保持することができるが、内視鏡を主挿通孔に係止させる際に、可撓管がハンガ本体上に位置した状態からケースが主挿通孔に係止するまで下ろす必要があり、また、内視鏡を主挿通孔から取り外す際に、ケースが主挿通孔に係止した状態から可撓管がハンガ本体上に位置するまで持ち上げる必要がある。また、ケースの根元に可撓管よりも大きな径の鉗子口が側方に突出する内視鏡では、内視鏡を上下にストロークさせる際に鉗子口がハンガ本体に突き当たり、上下にストロークしずらい。
そのため係止あるいは取り外しの際に内視鏡を上下に動かすストロークが大きく、係止あるいは取り外しを簡単に行なえない不具合があった。
本発明は前記事情に鑑み案出されたものであって、本発明の目的は、係止あるいは取り外しの際の上下のストロークを小さくし、係止あるいは取り外しを簡単に行なえるようにした内視鏡保持台を提供することにある。
【０００４】
【課題を解決するための手段】
前記目的を達成するため本発明は、内視鏡を保持する内視鏡保持台であり、前記内視鏡は操作部をなすケースを備え、前記ケースには、人の手により握られる断面及び長さで握り部が延在形成され、前記握り部の延在方向の一端から可撓管が突出され、前記握り部の延在方向の他端に基部が設けられ、前記基部は断面がほぼ矩形を呈し、基部の正面に内視鏡先端の視野の方向変更用の操作ダイヤルが設けられると共に、基部の一方の側面に可撓管への水や空気の供給の切換える操作ボタンが突出され、更に、基部の他方の側面の外方に向けて延在するようにライトガイドケーブルの連結部が基部に連結され、前記基部の一方の側面は前記握り部よりも膨出し、この他方の側面と握り部との間に段部が形成され、前記内視鏡保持台は、床から所定の高さでほぼ水平に支持された保持板を有し、前記保持板には、前記基部寄りの握り部部分の正面あるいは背面の幅よりも僅かに大きく、前記段部寄りの基部部分の正面あるいは背面よりも小さい寸法の幅で、かつ、前記基部の側面の幅よりも大きい寸法の長さで係止溝が保持板の外縁に開放状に形成され、前記係止溝の幅方向の一方の保持板上には、前記係止溝に上方から握り部を下方に向けた状態でケースを下ろし、段部が係止溝の縁に位置する保持板に当接した状態で、同時に、ライトガイドケーブルの連結部が当接するライトガイド用載置面が形成され、更に、段部が係止溝の縁に位置する保持板に当接し、ライトガイドケーブルの連結部がライトガイド用載置面に当接した状態で、ライトガイドケーブルの連結部が係止溝の開放端側に臨む箇所に位置し連結部に当接することでケースが係止溝の開放端側へ移動することを阻止する第１の突起が設けられ、前記保持板に該保持板とは別体の平板状のスペーサ部材が着脱可能に取り付けられ、前記ライトガイド用載置面はこのスペーサ部材の上面で構成されていることを特徴とする。
また、本発明は、前記段部が係止溝の縁に位置する保持板に当接し、ライトガイドケーブルの連結部がライトガイド用載置面に当接し、ライトガイドケーブルの連結部が第１の突起に近接して臨んだ状態で、ライトガイドケーブルの連結部が係止溝の奥部側に臨む箇所に近接して臨み、連結部に当接することでケースが係止溝の奥部側へ移動することを阻止する第２の突起が設けられていることを特徴とする。
また、本発明は、前記第１の突起と第２の突起は前記スペーサ部材の上面に配置されていることを特徴とする。
また、本発明は、前記段部が係止溝の縁に位置する保持板に当接し、ライトガイドケーブルの連結部がライトガイド用載置面に当接し、ライトガイドケーブルの連結部が第１の突起に近接して臨んだ状態で、前記ケースが係止溝の奥部に臨む部分は係止溝の奥部に近接していることを特徴とする。
また、本発明は、前記第１の突起のライトガイド用載置面からの高さは、ライトガイドケーブルの連結部の直径にほぼ等しいことを特徴とする。
【０００５】
本発明では、内視鏡を内視鏡保持台に係止保持させ、また、内視鏡を内視鏡保持台から取り外すに際して、ライトガイド用載置面からの第１の突起の高さ分のストロークだけケースを上下に動かせばよい。あるいは、ライトガイドケーブルの連結部の下面が第１の突起の上面よりも上位になるストローク分だけケースを上下に動かせばよい。
従って、鉗子口の影響を受けずにケースを小さなストロークで上下させることで内視鏡を内視鏡保持台に簡単に係止保持させ、また、内視鏡を内視鏡保持台から簡単に取り外すことが可能となる。
【０００６】
【発明の実施の形態】
次に本発明の実施の形態について説明する。
図１は内視鏡保持台の右側の係止溝に内視鏡を係止保持させた状態の斜視図、図２は内視鏡保持台の左側の係止溝に内視鏡を係止保持させた状態の斜視図、図３は左右の係止溝にそれぞれ内視鏡を係止保持させた状態の平面図、図４は同正面図、図５は内視鏡保持台の平面図、図６は図５のＡＡ断面図を示す。
まず、内視鏡から説明すると、内視鏡２は操作部をなすケース４を備える。
ケース４には、人の手により握られる断面及び長さで握り部６が延在形成され、前記握り部６の延在方向の一端から可撓管８が突出され、握り部６の一端寄りには鉗子挿入用の鉗子口１０が設けられている。
【０００７】
前記握り部６の延在方向の他端に基部１２が設けられ、基部１２は断面がほぼ矩形を呈し、基部１２の正面には内視鏡先端の視野の方向変更用の操作ダイヤル１４が設けられ、基部１２の背面にはライトガイドケーブル１６の連結部１６０２が基部１２の一方の側面に向けて延在するように連結されている。なお、このライトガイドケーブル１６の内部には、光ケーブルや、水や空気の供給用管体、吸引用管体、電源コードなどが組み込まれ、連結部１６０２はこれら部材を保護できるような強固な材料で形成されている。
また、基部１２の他方の側面１２０２には前記供給用管体を介して可撓管８への水や空気の供給の切換える操作ボタン１８と、前記吸引用管体を介して可撓管８の先端から吸引を行なうための操作ボタン２０が突出されている。
前記基部１２の他方の側面１２０２は、前記操作ボタン１８、２０により作動する切り換え弁などが基部１２の内部に配設されることから、前記握り部６よりも膨出し、この他方の側面１２０２と握り部６の側面との間に段部２２が形成されている。
【０００８】
次に、内視鏡保持台について説明する。
内視鏡保持台３０は、鉛直に延在する支柱３２の上部により床から所定の高さでほぼ水平に支持された保持板３４を有する。なお、支柱32は床に置かれた移動可能な基台から立設されている。
前記保持板３４には支柱３２の左右に位置するように二つの係止溝３６が同じ向きで保持板３４の外縁に開放状に形成されている。
各係止溝３６は、前記ケース４の基部１２寄りの握り部６部分の正面あるいは背面の幅よりも僅かに大きく、段部２２寄りの基部１２の正面あるいは背面よりも小さい寸法の幅で、かつ、基部１２の側面の幅よりも大きい寸法の長さで延在形成されている。
【０００９】
次に、二つの係止溝３６のうち右側の係止溝３６から説明すると、右側の係止溝３６の幅方向の右方の保持板３４上には、操作ダイヤル１４を係止溝３６の奥部３６０２側に向けかつ握り部６を下方に向けた状態で係止溝３６の上方からケース４を下ろし、段部２２が係止溝３６の縁に位置する保持板３４に当接した状態で、同時に、ライトガイドケーブル１６の連結部１６０２が当接するライトガイド用載置面３８が形成されている。
更に、段部２２が係止溝３６の縁に位置する保持板３４に当接し、ライトガイドケーブル１６の連結部１６０２がライトガイド用載置面３８に当接した状態で、ライトガイド１６の連結部１６０２が係止溝３６の開放端側に臨む箇所に位置し連結部１６０２に当接することでケース４が係止溝３６の開放端側へ移動することを阻止する円柱状の突起４０(特許請求の範囲の第１の突起に相当)が設けられている。
また、ライトガイド１６の連結部１６０２が突起４０に近接して臨んだ状態で、ライトガイド１６の連結部１６０２が係止溝３６の奥部側に臨む箇所に近接して臨み、連結部１６０２に当接することでケース４が係止溝３６の奥部３６０２側へ移動することを阻止する円柱状の突起４２(特許請求の範囲の第２の突起に相当)が設けられている。すなわち、両突起４０，４２は、それらの間にライトガイド１６の連結部１６０２が挿入できるように、連結部１６０２の直径よりも僅かに大きな間隔を保って配置されている。
【００１０】
本実施の形態では、図６に示すように、係止溝３６の幅方向の右方の保持板３４上に平板状のスペーサ部材４４が配設され、このスペーサ部材４４の上に突起４２、４４が配設され、これらスペーサ部材４４と突起４２，４４はボルト４６により保持板３４に着脱可能に取り付けられている。なお、このスペーサ部材４４の厚みは、段部２２と連結部１６０２の高さ方向における位置の差異に応じて決定され、内視鏡２の種類に応じて厚みの異なる複数のスペーサ部材４４を用意するようにしてもよい。
また、本実施の形態では、段部２２が係止溝３６の縁に位置する保持板３４に当接し、ライトガイドケーブル１６の連結部１６０２が突起４０，４２の間でライトガイド用載置面３８に当接した状態で、操作ダイヤル１４の下方のケース４の正面部分が係止溝３６の奥部３６０２に近接して臨むように形成されている。
【００１１】
次に、左側の係止溝３６について説明すると、右側の係止溝３６では操作ダイヤル１４を係止溝３６の奥部３６０２に向けた状態で内視鏡２を係止保持するのに対して、左側の係止溝３６では、操作ダイヤル１４を係止溝３６の開放端側に向けた状態で内視鏡２を係止保持する点が右側の係止溝３６と異なっている。
すなわち、係止溝３６の幅方向の左方の保持板３４上に、右側の係止溝３６と同様な構成のライトガイド用載置面３８、突起４２，４４が配設されており、段部２２が係止溝３６の縁に位置する保持板３４に当接し、ライトガイドケーブル１６の連結部１６０２が突起４０，４２の間でライトガイド用載置面３８に当接した状態で、連結部１６０２の下方のケース４の背面部分が係止溝３６の奥部３６０２に近接して臨むように形成されている。
なお、左側の係止溝３６ではライトガイドケーブル１６の連結部１６０２が係止溝３６の奥部３６０２側に位置するため、ライトガイド用載置面３８、突起４２，４４が配設される保持板３４部分が右側の係止溝３６の対応する保持板３４部分に比べて短い。
【００１２】
このような本実施の形態によれば、内視鏡２を係止溝３６に係止保持させる場合には、まず、ライトガイドケーブル１６の連結部１６０２の下面が突起４０の上端よりも上方に位置するように内視鏡２を持ち上げる。
そして、右側の係止溝３６に係止保持させる場合には、操作ダイヤル１４を係止溝３６の奥部３６０２側に向けてケース４を係止溝３６の開放端に臨ませ、その状態で水平に移動させて係止溝３６内に挿入し、また、左側の係止溝３６に係止保持させる場合には、操作ダイヤル１４を係止溝３６の開放端側に向けてケース４を係止溝３６の開放端に臨ませ、その状態で水平に移動させて係止溝３６内に挿入する。
そして、ライトガイドケーブル１６の連結部１６０２が突起４０を通り越したところで連結部１６０２が突起４０と突起４２の間に位置するようにケース４を下ろす。
また、係止溝３６から内視鏡２を取り外す場合には、前記係止保持させる場合とは逆に、ライトガイドケーブル１６の連結部１６０２の下面が突起４０の上端よりも上方に位置するように内視鏡２を持ち上げ、その状態でケース４を水平に移動し、ケース４を係止溝３６外に位置させる。
【００１３】
従って、本実施の形態によれば、内視鏡２を内視鏡保持台３０に係止保持させ、また、内視鏡２を内視鏡保持台３０から取り外すに際して、ライトガイド用載置面３８からの突起４０の高さ分のストロークだけケース４を上下に動かせばよい。
そして、突起４０はライトガイドケーブル１６の連結部１６０２に当接しケース４を係止溝３６の開放端側への移動を阻止する高さで足り、連結部１６０２の直径と等しい寸法で足りるので、連結部１６０２の直径分だけケース４を上下にストロークさせればよい。
従って、ケース４を小さなストロークで上下させることで内視鏡２を内視鏡保持台３０に簡単に係止保持させ、また、内視鏡２を内視鏡保持台３０から簡単に取り外すことが可能となる。
また、本実施の形態では、内視鏡２を内視鏡保持台３０に係止保持させた状態で、図４に示すように、鉗子口１０と保持板３４の下面との間は上記のストロークよりも十分に大きな間隔があいているので、鉗子口１０の影響を受けずに内視鏡２を内視鏡保持台３０に係止保持させ、また、内視鏡保持台３０から取り外すことが可能となる。
【００１４】
また、ケース４が係止溝３６に係止保持された状態で、段部２２が係止溝３６の縁に位置する保持板３４に当接し、ライトガイドケーブル１６の連結部１６０２がライトガイド用載置面３８に当接し、更に、ライトガイド１６の連結部１６０２が係止溝３６の開放端側に臨む箇所に連結部１６０２の係止溝３６の開放端側への移動を阻止する円柱状の突起４０が位置するので、保持板３４により内視鏡２を安定した状態で係止保持でき、内視鏡2が回動して抜け落ちることが防止される。
【００１５】
また、本実施の形態では、ライトガイド１６の連結部１６０２がライトガイド用載置面３８上において突起４０と突起４２の間に挟まれた状態となるので、連結部１６０２の係止溝３６の開放端側への移動のみならず、連結部１６０２の係止溝３６の奥部３６０２側への移動も阻止され、保持板３４により内視鏡２をより安定した状態で係止保持することが可能となる。
更に、本実施の形態では、ライトガイド１６の連結部１６０２がライトガイド用載置面３８上において突起４０と突起４２の間に挟まれた状態で、係止溝３６の奥部３６０２がケース４の正面または背面に近接した状態で臨むので、突起４０、突起４２の間の連結部１６０２箇所を中心にケース４が動こうとしてもこの動きは、ケース４の正面または背面が係止溝３６の奥部３６０２に当接することで阻止され、従って、保持板３４により内視鏡２をより一層安定した状態で係止保持することが可能となる。
【００１６】
なお、突起４０、４２の形状や保持板３４に設ける係止溝３６の数は任意であ利、実施の形態における構造に限定されない。
図7は保持板の変形例の平面図を示す。
この保持板５０は、４つの内視鏡２が保持されるように、前記実施の形態と同一形状の係止溝３６が支柱５２を挟んで二つづつ形成されており、各係止溝３６毎にライトガイド用載置面３８や突起４０，４２が形成されている。この場合、内視鏡２は左手で扱うことから保持板５０が支柱５２を中心として回転可能であると、係脱の操作がよりやり易くなる。
【００１７】
次に、図８及び図９を参照して参考例について説明する。図８は内視鏡保持台の左右の係止溝にそれぞれ内視鏡を係止保持させた状態の平面図、図９は同正面図を示し、前記実施の形態と同様な部材、箇所には同一の符号を付して説明する。
内視鏡６２は操作部をなすケース６４を備え、ケース６４には、人の手により握られる断面及び長さで握り部６６が延在形成され、前記握り部６６の延在方向の一端から可撓管８が突出され、握り部６６の一端寄りには鉗子挿入用の鉗子口１０が設けられ、握り部６６の延在方向の他端に基部７２が設けられている。
【００１８】
前記握り部６６は、正面６６０２と、背面６６０４と、これら正面６６０２と背面６６０４の両側を接続する一対の側面６６０６とで断面がほぼ矩形に形成され、かつ、握り部６６は、前記正面６６０２と背面６６０４の幅が前記握り部６６の延在方向の一端から他端に向けて次第に大きくなるテーパ部６６１０を有している。
【００１９】
前記基部７２は断面がほぼ矩形を呈し、基部７２の正面には内視鏡先端の視野の方向変更用の操作ダイヤル１４が設けられ、基部７２の背面にはライトガイドケーブル１６の連結部１６０２が基部７２の一方の側面に向けて延在するように連結されている。
また、基部７２の他方の側面には可撓管８への水や空気の供給の切換える操作ボタン１８と、可撓管８の先端から吸引を行なうための操作ボタン２０が突出されている。
【００２０】
次に、内視鏡保持台について説明する。
内視鏡保持台８０は、鉛直に延在する支柱８２の上部により床から所定の高さでほぼ水平に支持された保持板８４を有する。
前記保持板８４には支柱８２の左右に位置するように二つの係止溝８６が同じ向きで保持板８４の外縁に開放状に形成されている。
各係止溝８６は、前記握り部６６の延在方向の一端寄りに位置する前記テーパ部６６１０の正面６６０２あるいは背面６６０４の幅よりも大きく、握り部６６の延在方向の他端寄りに位置するテーパ部６６１０の正面６６０２あるいは背面６６０４の幅よりも小さい寸法の幅で、かつ、テーパ部６６１０の側面６６０６の幅よりも大きい寸法の長さで保持板８４の外縁に開放状に形成されている。
【００２１】
更に詳細に説明すると、二つの係止溝８６のうち右側の係止溝８６の幅方向の右方の保持板８４上には、操作ダイヤル１４を係止溝８６の奥部側に向けかつ握り部６６を下方に向けた状態で係止溝８６の上方からケース６４を下ろし、テーパ部６６１０の側面６６０６が係止溝８６の縁に位置する保持板８４に係止した状態で、ライトガイドケーブル１６の連結部１６０２が係止溝８６の開放端側に臨む箇所に位置し連結部１６０２に当接することでケース６４が係止溝８６の開放端側へ移動することを阻止する円柱状の突起９０が設けられている。
また、テーパ部６６１０が係止溝８６の縁に位置する保持板８４に当接し、ライトガイドケーブル１６の連結部１６０２が突起９０に近接して臨んだ状態で、ライトガイドケーブル１６の連結部１６０２が係止溝８６の奥部側に臨む箇所に近接して臨み、連結部１６０２に当接することでケース６４が係止溝８６の奥部側へ移動することを阻止する円柱状の突起９２が設けられている。すなわち、両突起９０，９２は、それらの間にライトガイド１６の連結部１６０２が挿入できるように、連結部１６０２の直径よりも僅かに大きな間隔を保って配置されている。
【００２２】
また、参考例では、テーパ部６６１０が係止溝８６の縁に位置する保持板８４に当接し、ライトガイドケーブル１６の連結部１６０２が突起９０，９２の間に挿入された状態で、操作ダイヤル１４の下方のケース６４の正面部分が係止溝８６の奥部に近接して臨むように形成されている。
なお、突起９０，９２の高さは、テーパ部６６１０が係止溝８６の縁に位置する保持板８０に当接した状態で、ライトガイドケーブル１６の連結部１６０２の上面よりも僅かに上位に位置するように形成されている。
【００２３】
次に、左側の係止溝８６について説明すると、右側の係止溝８６では操作ダイヤル１４を係止溝８６の奥部に向けた状態で内視鏡６２を係止保持するのに対して、左側の係止溝８６では、操作ダイヤル１４を係止溝８６の開放端側に向けた状態で内視鏡６２を係止保持する点が右側の係止溝８６と異なっている。
すなわち、係止溝８６の幅方向の左方の保持板８４上に、右側の係止溝８６と同様な構成の突起９０，９２が配設されており、テーパ部６６１０が係止溝８６の縁に位置する保持板８０に当接し、ライトガイドケーブル１６の連結部１６０２が突起９０，９２の間に挿入された状態で、連結部１６０２の下方のケース６４の背面部分が係止溝８６の奥部に近接して臨むように形成されている。
なお、左側の係止溝８６ではライトガイドケーブル１６の連結部１６０２が係止溝８６の奥部側に位置するため、突起９０，９２が配設される保持板８４部分が右側の係止溝８６の対応する保持板８４部分に比べて短い。
【００２４】
このような参考例によれば、内視鏡２を内視鏡保持台８０に係止保持させ、また、内視鏡２を内視鏡保持台８０から取り外すに際して、ライトガイドケーブル１６の連結部１６０２の下面が突起９０の上面よりも上位になるようなストロークだけケース６４を上下に動かせばよい。
従って、前記実施の形態と同様に、鉗子口10の影響を受けずにケース６４を小さなストロークで上下させることで内視鏡６２を内視鏡保持台８０に簡単に係止保持させ、また、内視鏡６２を内視鏡保持台８０から簡単に取り外すことが可能となる。
また、ケース６４が係止溝８６に係止保持された状態で、ライトガイド１６の連結部１６０２が係止溝８６の開放端側に臨む箇所に連結部１６０２の係止溝８６の開放端側への移動を阻止する円柱状の突起９０が位置するので、保持板８４により内視鏡６２を安定した状態で係止保持でき、内視鏡６2が回動して抜け落ちることが防止される。
また、ライトガイド１６の連結部１６０２が突起９０と突起９２の間に挟まれた状態となるので、連結部１６０２の係止溝８６の開放端側への移動のみならず、連結部１６０２の係止溝８６の奥部側への移動も阻止され、保持板８４により内視鏡６２をより安定した状態で係止保持することが可能となる。
【００２５】
【発明の効果】
以上の説明で明らかなように本発明の内視鏡保持台は、内視鏡のケースの段部とライトガイドケーブルの連結部を利用して内視鏡の係脱を行なうようにしたので、ケースを小さなストロークで上下させることで内視鏡を内視鏡保持台に簡単に係止保持させ、また、内視鏡を内視鏡保持台から簡単に取り外すことが可能となる。
【図面の簡単な説明】
【図１】内視鏡保持台の右側の係止溝に内視鏡を係止保持させた状態の斜視図である。
【図２】内視鏡保持台の左側の係止溝に内視鏡を係止保持させた状態の斜視図である。
【図３】内視鏡保持台の左右の係止溝にそれぞれ内視鏡を係止保持させた状態の平面図である。
【図４】内視鏡保持台の左右の係止溝にそれぞれ内視鏡を係止保持させた状態の正面図である。
【図５】内視鏡保持台の平面図である。
【図６】図５のＡＡ断面図である。
【図７】保持板の変形例の平面図である。
【図８】内視鏡保持台の左右の係止溝にそれぞれ内視鏡を係止保持させた状態の平面図である。
【図９】内視鏡保持台の左右の係止溝にそれぞれ内視鏡を係止保持させた状態の正面図である。
【符号の説明】
２、６２  内視鏡
４、６４  ケース
６、６６  握り部
８  可撓管
１２、７２  基部
１６  ライトガイドケーブル
１６０２  ライトガイドケーブルの連結部
２２  段部
３０、８０  内視鏡保持台
３２、８２  支柱
３４、８４  保持板
３６、８６  係止溝
４０、４２、９０，９２  突起
４４  スぺーサ部材
６６１０  テーパ部
【図１】
0004014703.tif 000002
【図２】
0004014703.tif 000003
【図３】
0004014703.tif 000004
【図４】
0004014703.tif 000005
【図５】
0004014703.tif 000006
【図６】
0004014703.tif 000007
【図７】
0004014703.tif 000008
【図８】
0004014703.tif 000009
【図９】
0004014703.tif 000010